(57)【要約】内部表面を有する容器（１４）とともに使用する媒体層支持格子（１０）である。上記媒体層支持格子は、複数のろ過パネル（１２）を有しており、各ろ過パネルは、平行に離間してろ過表面を形成する複数のろ過ワイヤ（１８）を備えている。また、上記媒体層支持格子は、上記ろ過ワイヤの下に複数のチャネル（５６）を備えており、この複数のチャネルは、上記ろ過ワイヤにほぼ垂直に位置している。さらに、上記媒体層支持格子は、複数のマニホールド（２０）を備えており、各マニホールドはチャネルと連結され、流体が通じるようになっている。
2004528975.tif 000002
【特許請求の範囲】
【請求項１】
内部表面を有する容器とともに使用する媒体層支持格子であって、上記媒体層支持格子は、
平行に離間した複数のろ過ワイヤを有するろ過パネルと、
ろ過ワイヤの下部に位置する複数のチャネルと、
上記チャネルに連結され、上記チャネルとの間に流体が通じるように形成されたマニホールドとを備え、
上記複数のろ過ワイヤはろ過表面を形成している媒体層支持格子。
【請求項２】
複数のろ過パネルを含む請求項１に記載の媒体層支持格子。
【請求項３】
上記複数のチャネルはろ過ワイヤにほぼ垂直に配置されている請求項１または２に記載の媒体層支持格子。
【請求項４】
上記チャネルは、上記ろ過表面に対向し、かつ、上記ろ過表面とほぼ平行な上記支持格子の底面を形成しており、上記底面は、上記容器の内部表面に隣接して配置されている請求項１ないし３の何れか１項に記載の媒体層支持格子。
【請求項５】
上記媒体層支持格子において、上記ろ過パネルは外端部を備えており、上記マニホールドは上記ろ過ワイヤと平行で、かつ上記外端部と対向するように配置され、さらに、上記外端部はそれに密封するように溶接された棒を含み、これによって上記外端部において上記ろ過パネルを密封している請求項１ないし４の何れか１項に記載の媒体層支持格子。
【請求項６】
ろ過パネルを支持する複数のチャネルを含み、上記チャネルと上記ろ過パネルは端部を有し、上記ろ過パネルは上記端部において上記チャネルおよび上記ろ過パネルを密封する棒を有している媒体層支持格子。
【請求項７】
上記の棒は第２の棒に密封して溶接されており、上記第２の棒は上記ろ過パネルに溶接されている請求項５または６に記載の媒体層支持格子。
【請求項８】
上記マニホールドは複数の開口部を有し、上記開口部は上記マニホールドと上記チャネルとの間の流路を規定している請求項１ないし７の何れか１項に記載の媒体層支持格子。
【請求項９】
上記開口部は様々な大きさである請求項８に記載の媒体層支持格子。
【請求項１０】
上記媒体層支持格子は、周囲をさらに含み、上記周囲から離れて配置された少なくとの一つの開口部の大きさは、上記周囲の近傍に配置されている少なくとの一つの開口部の大きさよりも小さい請求項８または９に記載の媒体層支持格子。
【請求項１１】
上記パネルに密封して連結された中央収集器をさらに含む請求項１ないし１０の何れか１項に記載の媒体層支持格子。
【請求項１２】
上記中央収集器は覆いを有しており、上記覆いは平行に離間された複数の第２のろ過ワイヤを含む請求項１１に記載の媒体層支持格子。
【請求項１３】
上記少なくとも一つのチャネルは、当該チャネルを第１の小室と第２の小室とに分ける流体分配表面を含み、上記流体分配表面は上記第１の小室と第２の小室との間の流路を規定する複数のオリフィスを含む請求項１ないし１２の何れか１項に記載の媒体層支持格子。
【請求項１４】
上記マニホールドは上記ろ過ワイヤにほぼ垂直に配置されている請求項１ないし１３の何れか１項に記載の媒体層支持格子。
【請求項１５】
請求項１ないし１４の何れか１項に記載の媒体層支持格子を含む容器であって、上記支持格子の底面が上記容器の内部表面に隣接して配置されている容器。
【請求項１６】
平行に離間された複数のろ過ワイヤと、マニホールドと、上記ろ過ワイヤの下に位置する複数のチャネルとを含み、上記マニホールドは上記マニホールドと上記チャネルとの間の流路を規定する複数の開口部を有しているろ過パネル。
【発明の詳細な説明】
【０００１】
本発明は、それを介して処理流体（a process flow）が誘導される媒体層（a media bed）を含む槽（a tank）あるいは容器（vessel）に関するものである。より詳しくは、本発明は容器内部に媒体層を保持する支持格子（a support grid）に関するものである。
【０００２】
従来の容器（vessels）は、媒体層を通じて導かれる処理流体と相互作用する媒体層を含んでいる。このような媒体層は、触媒作用、分子の篩い分け、アルミナ乾燥、樹脂イオン交換などを含む様々な工程に使用される。そして、種々の流体（例えば、油、ガス、水など）は、上記の容器を通って処理され得る。典型的な容器は、垂直（縦）、水平（横）、あるいはその他の方向に配置され、その技術分野において通常の知識を有する者に知られた構成を有するものであればよい。典型的な容器においては、媒体層を保持するために容器の内部に支持格子が配置されている。支持格子は、媒体層を保持するろ過表面を有しているが、処理流体（the process flow）はそれを通過する。このようにして、容器から抜け出た処理流体は、通常、上記媒体層を通過して触媒作用を受ける。しかし、上記媒体は、容器の内部に保持される。
【０００３】
典型的には、従来の支持格子は容器の接線（a tangent line）に配置されており、通常上記容器の頭部から胴体部にかけての輪郭を形成する。上記支持格子は、その下に空の容器の頭部を残して、容器の胴体部において媒体層を保持する。処理流体は、媒体層および保持している支持格子を通って容器の頭部へ導かれる。そこから、上記流体は容器の外部へ処理流体を運ぶ出口へ注ぎ込まれる。
【０００４】
支持格子を容器の接線に配置するために、支持格子は容器の胴体内部に媒体層を保持するように適切に強化されなければならない。さらに、容器の接線に配置された支持格子にともなって、上記容器の頭部の体積は、さらに媒体が追加されることで通常の状態ではなくなる。上述のような容器の使用者にとっては、媒体を含む容器の胴部の体積のことを考慮し、上記接線において実質的な強化を必要とすることなく広範囲の荷重や温度に絶え得るような支持格子が好まれる。
【０００５】
本発明は、媒体層を含む容器において使用される支持格子を提供するものであって、媒体層を支持するろ過表面、および、容器の内部表面に置かれる底面を有するものである。
【０００６】
本発明の一つの側面においては、内部表面を有する容器とともに使用される媒体層支持格子を提供する。上記媒体層支持格子は、ろ過パネル（a filter panel）を有しており、上記ろ過パネルは、平行に離間した複数のろ過ワイヤ（filter wires）、上記ろ過ワイヤの下に位置する経路（チャネル：channels）、および、多岐管（マニホールド：a manifold）を備えている。上記マニホールドは、チャネルと連結され、流体が通じるようになっている。また、複数のろ過ワイヤは、ろ過表面を形成している。
【０００７】
さらに好ましい特徴については、請求項２以下に記載される。
【０００８】
好ましい実施形態において、支持格子は、連結された多数の支持格子パネルから構成される。各支持格子パネルは、ほぼ台形の形状をしており、連結された場合にこれらの支持格子パネルでほぼ円形の支持格子を形成する。各パネルは支持格子の周りにほぼ円周状に配され、ほぼ放射状に配された平行な複数のろ過ワイヤを支持する複数の平行なチャネルを有している。ろ過ワイヤは、その下に配されているチャネルに対してほぼ垂直に配置されており、支持格子のろ過表面を形成している。ろ過ワイヤの下に配され、ろ過ワイヤを支持するように張りめぐらされたいくつものチャネルによって、支持格子の底面が形成される。
【０００９】
より好ましい実施形態では、支持格子は容器の内部に配置され、容器の頭部（the head）の内部表面に載置されている。媒体層は、支持格子の上部に支持されている。処理流体は、容器の方へ向けられ、媒体層を通ってから、支持格子のろ過表面を通過し、下部のチャネルへと至る。処理流体は、その後、チャネルの下流側の円周へと導かれ、チャネルの末端の開口部を通過する。各開口部は、チャネルからマニホールドへの流体の狭い通路（a flow passageway）を形成しており、マニホールドは支持格子のろ過表面と連結されている。そして、マニホールドは中央の収集器へ向かって放射状の処理流体の流れを形成する。そして、上記収集器は容器の外部への流れを形成する。
【００１０】
本発明のいくつかのより好ましい実施形態は、例示のみを目的とするものであり、添付の図面を参照して以下に記載される。
【００１１】
図１は、容器の頭部に配置された多数の支持格子パネルからなる支持格子の平面図である。図２は、容器内部の頭部に配置された図１に示す支持格子の側面図である。図３は、図１に示す支持格子の支持格子パネルの平面図であって、平行に離間されたろ過ワイヤおよびマニホールドを示すものである。図４は、支持格子パネルの一部分を示す透視図であり、マニホールドの内部とろ過ワイヤの下に配置されろ過ワイヤを支持する複数のチャネルとの間に、狭い通路を形成する一連の開口部を示すものである。図５は、図４に示す支持格子パネルの一部分を示す下面図であり、支持格子の底面を形成する支持格子パネルのチャネルの複数の網（web）部分を示すものである。図６は、図３に示す支持格子パネルの全長に沿って配置され、マニホールドへ開口している一連の開口部を示す部分側面図である。図７は、図３に示す支持格子パネルの外端部におけるシール部材の一部を示す透視図である。図８は、支持格子パネルの一連のチャネルの内部に配置された流体分配表面を示す横断面図である。
【００１２】
図１〜７には、媒体層支持格子１０を示す。図１に示すように、支持格子（support grid）１０は、複数の支持格子パネル１２から構成され、タンク（a tank）あるいは容器（vessel）１４の内部に配置されている。図１に示すように、支持格子１０および容器１４は、通常円形であり、支持格子１０は容器１４内に周囲３２とほぼ同心円をなして配置されている。しかしながら、上記支持格子１０および容器１４は、異なる形状であってもよく、また、支持格子１４は容器１４の内部に異なる方向に配置されていてもよいことは、当業者であれば容易に理解できるであろう。例えば、図１および２において最もよく表されている容器１４は、円柱管や縦型容器である。しかしながら、上記支持格子１０は、例えば横置容器などのような他の種類の容器（導管）に適用することもできる。
【００１３】
再度図１に言及すると、各支持格子パネル１２は、平行に離間された複数のろ過ワイヤ１８（filter wires）およびマニホールド（a manifold）２０から構成されている。上記複数のろ過ワイヤ１８が共同して、支持格子１０のろ過表面（a filtering surface）２２を形成している。媒体層（図示せず）は容器１４の内部に配置され、支持格子１０のろ過表面２２上に置かれている。
【００１４】
図２に示すように、容器１４は、胴体部（a body）２４と頭部（a head）２６とに分けられ、通常接線（the tangent line）２８によって線引きされる。支持格子１０は、容器１４の頭部２６の内部に配置されており、容器１４の周囲３２から離れて同心円上に間隔を隔てて配置された円周３０を含んでいる。このように、容器１４の頭部２６は一般に楕円（elliptical）形状であるが、支持格子１０が隣接して配置される頭部２６の内部表面３６の一部３４は、その大部分が球状であり、それによって一定の半径を有している。このようにして、支持格子１０は、容器１４の頭部２４内部の内部壁３６に配置するため、ほぼ球状の設計で製造され得る。
【００１５】
さらに、支持格子１０は、接線２８で止められて存在する従来の支持格子とともに使用することもできる。当業者によく知られているように、従来の支持格子は、上述のごとく、その（支持格子の）上部に媒体層を支持するものであるため、容器１４の頭部２６では、その下部に空き空間が残されてしまう。本発明にかかる上述の支持格子１０は、従来の支持格子の下部の容器１４の頭部２６において組み立てることができ、追加される媒体を上述のように従来の支持格子と本願の支持格子１０との間に詰め込むこともできる。このように、容器の内部に追加の媒体を収容できるように、容器１４を支持格子１０とともに改良してもよい。
【００１６】
図１および２に示すように、各マニホールド２０は、マニホールド２０と支持格子１０の中央収集器４２とを接続するボルトで締めたフランジ（a bolting flange）３８を含んでいる。上記中央収集器４２は、容器１４の出口ノズル４４にかみ合っており（engages）、容器への狭い通路（a manway）を形成している。
【００１７】
容器１４を通過する処理流体は、容器１４の胴体部２４と頭部２６の内部に位置する媒体層（図示せず）を通じて流れる。媒体層は、支持格子１０のろ過表面２２に保持されている（rest）。処理流体は、媒体層を通過した後、個々の支持格子パネル１２のろ過ワイヤ１８の間をろ過する。より詳細に言えば、上記ろ過ワイヤ１８は処理流体を通過させることはできるが、媒体層は保持されるように間隔が空けられている。処理流体がろ過ワイヤ１８を通過してろ過された後、上述したように、上記処理流体はマニホールド２０へ誘導される。そして、各マニホールド２０は、上記処理流体を中央収集器４２の方へ放射状に運び、該中央収集器４２で上記処理流体は容器１４の外部へ誘導される。上記中央収集器４２は、ハブカバー（中心の覆い：a hub cover）４６を有しており、上記ハブカバー４６は、媒体層は保持するが処理流体は出口ノズル４４の外へ通過させる、平行に間隔を空けられたろ過ワイヤ４８を含んでいる。
【００１８】
個々の支持格子パネル１２の構造は図３に最もよく示されている。ろ過ワイヤ１８は、マニホールド２０にほぼ平行に配置され、通常ろ過ワイヤ１８の台形領域１９を形成している。支持格子パネル１２の外端部（an outer edge）５０、先端部（lead edge）５１、後端部（back edge）５２は、上述のように密封されている。支持格子パネル１２の後端部５２に対向するマニホールド２０は、前述のようにボルトで締めたフランジ３８を含んでいる。最後に、図２に示すように、支持格子パネル１２のマニホールド部２０は、支持格子パネル１２のそれ以外の部分よりも実質的に長くなっている。つまり、図２に示すように、ろ過表面２２は、マニホールド２０の上部表面５４よりも、頭部２６の内部表面３６に実質的により近い位置に配置されている。
【００１９】
上述のように、処理流体（図示せず）は、ろ過ワイヤ１８を通過した後、マニホールド２０へ誘導される。図７に示すように、一連のチャネル５６によって、流体はろ過ワイヤ１８からマニホールド２０へと誘導される。ろ過ワイヤ１８は、その下に配されているチャネル５６にほぼ垂直に配置されて支持されている。
【００２０】
ろ過ワイヤ１８は、チャネル５６に溶接され（welded）、媒体層を保持する一方、処理流体をチャネルへ通過させるように、充分な間隔が取られている。以下により詳しく述べるが、チャネル５６は他の方法で密封されている。さらに、各パネル１２は、フランジ３８で中央収集器４２にボルトで締められて密封されている。このようにして、チャネル５６に入り、最終的には容器１４を抜け出るあらゆる流体は、支持格子１０のろ過表面２２を構成するろ過ワイヤ１８で必ずろ過される。
【００２１】
図４、５には、支持格子パネル１２の一部分を示す。この一部分は、例えば図３において点線２１の間に位置する支持格子パネル１２の一部を示すものである。図３、４に示すように、図４におけるマニホールド２０は、図３に示すマニホールド２０よりも、ろ過表面２２に対向する端部に連結されている。この相違点以外については、図３に示すパネルと図４に示すパネルとは、構造的に類似している。それゆえ、図３の支持格子パネル１２の各部材に使用される部材番号は、図４の支持格子パネルの各部材を参照する場合にも使用される。
【００２２】
図４に示すように、支持格子パネル１２のろ過表面２２は、多数の平行に配置されたろ過ワイヤ１８から構成されている。ろ過ワイヤ１８は、図５に最もよく示されるが、その下に配されている一連のチャネル５６に溶接されて支持されている。当業者であれば容易に分かるように、チャネル５６はろ過ワイヤ１８にほぼ垂直な方向に向けられている。各チャネル５６は、網状部（a web portion）５８を有している。上記網状部５８は、図５に示すように並んで配置されており、共同して支持格子パネル１２の底面６０を形成している。それゆえ、当業者であれば容易にわかるように、図４では、マニホールド２０に対して平行に配置されたろ過ワイヤ１８とともに、支持格子パネル１２のろ過表面２２を例証している。そして、図５では、ひっくり返された支持格子パネル１２を示し、マニホールド２０に対してほぼ垂直に配置されたチャネル５６とともに、支持格子パネル１２の底面６０を例証している。
【００２３】
図４、５では、マニホールド２０の一部分のみが示される。図１、２、３および図６に最もよく表されているように、完全なかたちのマニホールド２０は、ろ過表面２２の上部にまで十分に延びており、中央収集器へ処理流体を運ぶための長方形の管を形成している４つのマニホールド壁６２を有している。図４および図５は、２つのマニホールド壁６２の一部分のみを示している。このようにすることで、各チャネル５６をマニホールド２０の内部６８と接続している流体の狭い通路（passageways）６６を規定している（define）一連の開口部６４をよく表すことができる。図４、５に示すように、各開口部６４はマニホールド２０に対してほぼ垂直に配置されたチャネル５６に連結している。上述のように、処理流体は媒体層を通過した後、ろ過表面を通過することによってろ過される。そこから上記処理流体はチャネル５６に入り、開口部６４を通過して周囲のマニホールド２０の内部６８へ運ばれる。その後、処理流体は各マニホールド２０によって放射状に運ばれ、中央収集器４２まで達し、そこから出口ノズル４４を通過して容器を抜け出る。
【００２４】
図５に示すように、チャネル５６は穴の開いていない側壁７０および網状部５８を有している。それゆえ、処理流体はチャネル５６を覆っているろ過表面２２を通過してろ過された後、チャネル５６のみに入ることが可能である。これによって、媒体層を通過して流れることによって媒体と相互作用した処理流体のみが、チャネル５６に入った後、容器１４から流出することが可能となる。
【００２５】
ろ過ワイヤ１８は、媒体がその間を通過することができない程度に間隔が空けられており、これによって、媒体が容器１４から流出することを防止することができる。処理流体のみが容器１４から出られるように、各支持格子パネル１２はその端部に沿って密封されている。外端部５０は、図３、４および図７においてよく表されているように、網状部５８と対向するチャネル５６の先端部（tips）７４に溶接された閉鎖棒（a closure bar）７２（図７参照）を有している。上記閉鎖棒７２は、ろ過ワイヤ１８の解放された端部（the loose ends）７６（図３、４参照）を密封している。上記解放された端部７６は、支持格子パネル１２が台形に切り離された場合に現れる。上記閉鎖棒７２がチャネル５６に溶接された後に、密封棒７８が上記閉鎖棒７２およびチャネル５６の網状部５８に溶接される。このようにして、パネル１２の外端部５０は、媒体層がチャネル５６に入り込むことを防止するために、密封されている。
【００２６】
図３に関して説明したように、個々の支持格子パネル１２のろ過表面２２は、通常台形である。そのため、ろ過表面２２においては、パネル１２の後端部５２にかけての方が先端部５１にかけてよりも大きなろ過面積を有している。当業者が図１を見れば容易に分かるであろうが、支持格子パネル１２の上部に位置する媒体層の体積は、支持格子１０の周囲方向への方が、中央収集器４２の方向へよりも大きくなっている。それゆえ、媒体層全体を通じて調和した処理流体の流れを維持するために、個々のパネル１２の後端部５２方向へのチャネル５６は、先端部５１方向へ配置されているチャネルよりも大きな流れを処理しなければならない。様々な流れに適応するために、チャネル５６とマニホールド２０とを接続している開口部６４は、マニホールド２０の長さに合わせて変化している。図４および６に示すように、ボルトで締めたフランジ３８の方に配置されている開口部６４は、ボルトで締めたフランジ３８から離れて配置されている開口部６４よりも小さくなっている。開口部６４は通常５つの帯域ごとにサイズ分けされている。より好ましい実施形態によれば、第１帯域８０は、直径約３／８”（９．５ｍｍ）の開口部６４を有している。より好ましい実施形態によれば、第２流出帯域８２における開口部６４は、直径７／１６”（１１．１ｍｍ）である。第３および第４流出帯域８４・８６においては、開口部６４の直径は、それぞれ１５／３２”（１１．９ｍｍ）、１／２”（１２．７ｍｍ）である。最後に、第５流出帯域８８は、チャネル５６とマニホールド２０との間に完全な流れを形成するような構成になっている。すなわち、マニホールド２０の壁６２は、チャネル５６の端部から完全に切り取られており、これによって、チャネル５６とマニホールド２０との間で流れが制限を受けないようになっている。当業者であれば容易に分かるであろうが、開口部６４の大きさは、処理される特定の流れ（流体）や、使用される容器１４の形状に応じて様々に変化させることができる。その他の考慮すべき事項については、当業者にとっては明白な事項である。さらに、開口部６４の大きさは、マニホールド２０の長さに沿って一定に変化し、必ずしも図６に示すように帯域ごとに変化する必要はないということは当業者であれば理解できるであろう。
【００２７】
上述のように、支持格子１０は処理流体をろ過し、これによって、処理されている生成物のみが出口ノズル４４を通じて容器１４から排出される。そして、容器内部の媒体層がチャネル５６に入り込み、処理流体とともに容器１４から排出されることを防止することができる。しかしながら、図２に示すように、支持格子１０は容器１４の内部壁３６に密封される（sealed）必要はない。支持格子１０の底面６０と頭部２６の内部表面３６との間に媒体層があれば、チャネル５６からマニホールド２０を通過し、中央収集器４２から出口ノズル４４へと至る経路では、ろ過表面２２を必ず通過するため、媒体層が容器１４から排出されることはない。
【００２８】
図７に示すように、ろ過ワイヤ１８はその断面がほぼ三角形になっており、ろ過表面２２を形成するために端部がチャネル５６に溶接されていることが好ましい。図７に示すようなチャネルの棒に溶接された縦断面が三角形のワイヤを構成している遮蔽材料（screen material）は、当業者であれば容易に認識できるであろう。さらに、このような遮蔽材料を製造する方法は、当業者にとって周知の事項である。しかしながら、これ以外の遮蔽材料を使用してもよい。チャネル５６に設けられているろ過ワイヤ１８以外に、例えば、丸い支持棒に対して垂直に伸びるように溶接された丸いろ過ワイヤで構成された遮蔽材料を用いてもよい。図１から７に示されるようなろ過ワイヤ１８やチャネル５６ではなく、下に配されている丸い支持棒上に設けられている丸いろ過ワイヤで構成されている遮蔽材料が使用される場合、上記遮蔽材料は、処理流体をろ過して集め、マニホールドへ導くチャネル５６のような機能を有するトレイ、あるいは、その他の構造のものの上方に配置されなければならない。また、上記遮蔽材料およびトレイは、処理された生成物のみがトレイに入り、マニホールドへ流れるように密封されている。上記遮蔽材料は、媒体がトレイに入り込み、容器から流出しないように、トレイに密封されている。
【００２９】
さらに、チャネル５６上に設けられるろ過ワイヤの縦断面が他の形状であってもよいことは、当業者であれば容易に理解できるであろう。さらに、上述のように、トレイに密封して連結されている遮蔽材料におけるろ過ワイヤおよび支持棒の縦断面の形状は、様々に変化させることができる。すべての場合において、支持格子は、それ自体が密封されているとともに、容器の出口に密封されている。支持格子は、容器の内部表面上に置かれており、容器内部のある地点において補強されたり、密封されたりする必要はない。このようにして、図１および図２に示すように、媒体層の重量は、支持格子１０および当該支持格子が載置されている容器１４の内部表面３６の一部分３４の全体に分散されている。支持格子が載置されている内部表面３６の一部分が頭部２６以外の容器の一部分に位置していてもよいということは、当業者にとっては明白であろう。例えば、横型の容器においては、支持格子は容器１４の側壁に載置されるような方向に配置されていてもよい。
【００３０】
支持格子１０は、処理流体のろ過以外に、流れの方向が反転される逆流処理において利用されてもよい。上記逆流処理においては、流体は中央収集器４２から放射状に外側へ向かって流れ、マニホールド２０、チャネル５６、ろ過表面２２を通過して、上方（上流）の媒体層を通過する。図８に示すように、ろ過表面２２と閉鎖壁９４との間に流体分配表面９０が配置されていてもよい。一連の垂直壁９６は、図７のチャネル５６によって狭い通路が形成されるように、狭い通路９８を形成している。さらに、一連の小室（chambers）９９が流体分配表面９０と閉鎖壁９４との間に形成されている。それゆえ、図８に示すように、集合した流体がろ過表面２２を通過し、さらに、流体分配表面９０における一連の開口部（オリフィス）９７を通過し、下方（下流）の小室９９を通過する。小室９９からの流体の流れは、図１から図７を参照して説明した実施形態と同様に、開口部６４を通過してマニホールド２０へと至る。一方、逆流処理においては、流体はマニホールドの外側へ向かって放射状に誘導され、流体分配表面９０の下部の小室９９へと至る。そして、流体は流体分配表面９０におけるオリフィス９７によって収集され、流体分配表面９０で分配され、ろ過表面２２を通過し、さらに、媒体層を通過する。
【図面の簡単な説明】
【００３１】
【図１】容器の頭部に配置された多数の支持格子パネルからなる支持格子の平面図である。
【図２】容器内部の頭部に配置された図１に示す支持格子の側面図である。
【図３】図１に示す支持格子の支持格子パネルの平面図であって、平行に離間されたろ過ワイヤおよびマニホールドを示すものである。
【図４】支持格子パネルの一部分を示す透視図であり、マニホールドの内部と、ろ過ワイヤの下に配置され、ろ過ワイヤを支持する複数のチャネルとの間に、狭い通路を形成している一連の開口部を示すものである。
【図５】図４に示す支持格子パネルの一部分を示す下面図であり、支持格子の底面を形成する支持格子パネルのチャネルの複数の網部分を示すものである。
【図６】図３に示す支持格子パネルの全長に沿って配置され、マニホールドへ開口している一連の開口部を示す部分側面図である。
【図７】図３に示す支持格子パネルの外端部におけるシール部材の一部を示す透視図である。
【図８】支持格子パネルの一連のチャネルの内部に配置された流体分配表面を示す横断面図である。
【国際公開パンフレット】
2004528975.tif 000003
2004528975.tif 000004
2004528975.tif 000005
2004528975.tif 000006
2004528975.tif 000007
2004528975.tif 000008
2004528975.tif 000009
2004528975.tif 000010
2004528975.tif 000011
2004528975.tif 000012
2004528975.tif 000013
2004528975.tif 000014
2004528975.tif 000015
2004528975.tif 000016
2004528975.tif 000017
2004528975.tif 000018
2004528975.tif 000019
2004528975.tif 000020
2004528975.tif 000021
2004528975.tif 000022
【手続補正書】
【提出日】平成15年6月20日(2003.6.20)
【手続補正１】
【補正対象書類名】特許請求の範囲
【補正対象項目名】全文
【補正方法】変更
【補正の内容】
【特許請求の範囲】
【請求項１】
内部表面を有する容器とともに使用する媒体層支持格子であって、上記媒体層支持格子は、ろ過パネルを含んで構成され、上記ろ過パネルは、
ろ過表面を形成している平行に離間した複数のろ過ワイヤと、
ろ過ワイヤの下部に位置する複数のチャネルと、
上記チャネルに連結され、上記チャネルとの間に流体が通じるように形成されたマニホールドとを備え、
上記マニホールドは、上記マニホールドと上記チャネルとの間の流路を規定している様々な大きさの開口部を複数個有している媒体層支持格子。
【請求項２】
複数のろ過パネルを含む請求項１に記載の媒体層支持格子。
【請求項３】
上記複数のチャネルはろ過ワイヤにほぼ垂直に配置されている請求項１または２に記載の媒体層支持格子。
【請求項４】
上記チャネルは、上記ろ過表面に対向し、かつ、上記ろ過表面とほぼ平行な上記支持格子の底面を形成しており、上記底面は、上記容器の内部表面に隣接して配置されている請求項１ないし３の何れか１項に記載の媒体層支持格子。
【請求項５】
上記媒体層支持格子において、上記ろ過パネルは外端部を備えており、上記マニホールドは上記ろ過ワイヤと平行で、かつ上記外端部と対向するように配置され、さらに、上記外端部はそれに密封するように溶接された棒を含み、これによって上記外端部において上記ろ過パネルを密封している請求項１ないし４の何れか１項に記載の媒体層支持格子。
【請求項６】
ろ過パネルを支持する複数のチャネルを含み、上記チャネルと上記ろ過パネルは端部を有し、上記ろ過パネルは上記端部において上記チャネルおよび上記ろ過パネルを密封する棒を有している媒体層支持格子。
【請求項７】
上記の棒は第２の棒に密封して溶接されており、上記第２の棒は上記ろ過パネルに溶接されている請求項５または６に記載の媒体層支持格子。
【請求項８】
上記媒体層支持格子は、周囲をさらに含み、上記周囲から離れて配置された少なくとの一つの開口部の大きさは、上記周囲の近傍に配置されている少なくとの一つの開口部の大きさよりも小さい請求項１ないし７の何れか１項に記載の媒体層支持格子。
【請求項９】
上記パネルに密封して連結された中央収集器をさらに含む請求項１ないし８の何れか１項に記載の媒体層支持格子。
【請求項１０】
上記中央収集器は覆いを有しており、上記覆いは平行に離間された複数の第２のろ過ワイヤを含む請求項９に記載の媒体層支持格子。
【請求項１１】
上記少なくとも一つのチャネルは、当該チャネルを第１の小室と第２の小室とに分ける流体分配表面を含み、上記流体分配表面は上記第１の小室と第２の小室との間の流路を規定する複数のオリフィスを含む請求項１ないし１０の何れか１項に記載の媒体層支持格子。
【請求項１２】
上記マニホールドは上記ろ過ワイヤにほぼ垂直に配置されている請求項１ないし１１の何れか１項に記載の媒体層支持格子。
【請求項１３】
請求項１ないし１２の何れか１項に記載の媒体層支持格子を含む容器であって、上記支持格子の底面が上記容器の内部表面に隣接して配置されている容器。
【請求項１４】
平行に離間された複数のろ過ワイヤと、マニホールドと、上記ろ過ワイヤの下に位置する複数のチャネルとを含み、上記マニホールドは上記マニホールドと上記チャネルとの間の流路を規定する様々な大きさの複数の開口部を有しているろ過パネル。
【国際調査報告】
2004528975.tif 000023
2004528975.tif 000024
2004528975.tif 000025